(57)【要約】【課題】リニアスケール保持具の上下動を許容しつつ、リニアスケール保持具の傾倒を防止できる、極めて簡単な構成のリニアスケール保持具の傾き防止装置及び該傾き防止装置を備えた記録装置を提供する。【解決手段】被記録材Ｐの種類や厚さに応じて記録ヘッド１３と被記録材Ｐとの間のギャップＰＧを調整し得る記録装置１００において設けられ、キャリッジ１０がリニアスケール保持具４によってリニアスケール３を保持した状態で上下動し得る構造を備えている場合であって、尚且つ、リニアスケール３の緊張状態を保つ張力付与部材が設けられている場合において、前記リニアスケール保持具４には、リニアスケール保持具４の傾倒傾向を防止すると共に、リニアスケール保持具４の上下動を可能にする付勢部材３１が設けられている。【選択図】        図３
2005081826.tif 000002
【特許請求の範囲】
【請求項１】
被記録材の種類や厚さに応じて記録ヘッドと被記録材との間のギャップを調整し得る記録装置において設けられ、記録ヘッドを取り付けた状態で主走査方向に往復動するキャリッジがリニアスケール保持具によってリニアスケールを保持した状態で前記ギャップの調整のため上下動し得る構造を備えている場合であって、尚且つ、リニアスケールの緊張状態を保つ張力付与部材が設けられている場合において、前記リニアスケール保持具には、張力付与部材の張力及びサイドフレームとの取付部において生ずるガタに起因するリニアスケール保持具の傾倒傾向を防止すると共に、リニアスケール保持具の上下動を可能にする付勢部材が設けられていることを特徴とするリニアスケール保持具の傾き防止装置。
【請求項２】
請求項１において、前記付勢部材は棒状のバネ部材であり、前記リニアスケール保持具を横切るように架け渡されて本体フレームに対して係止されていることを特徴とするリニアスケール保持具の傾き防止装置。
【請求項３】
請求項１または２において、前記リニアスケール保持具における付勢部材との当接面には、スケール保持具の移動方向に延びる突条部が設けられていることを特徴とするリニアスケール保持具の傾き防止装置。
【請求項４】
請求項２または３において、前記棒状のバネ部材はリニアスケール保持具の移動方向に対して斜交するように架け渡されていることを特徴とするリニアスケール保持具の傾き防止装置。
【請求項５】
請求項１において、前記付勢部材はリニアスケール保持具の当接面に対して垂直に作用する圧縮コイルスプリングであることを特徴とするリニアスケール保持具の傾き防止装置。
【請求項６】
被記録材の種類や厚さに応じて記録ヘッドと被記録材との間のギャップを調整し得る記録装置であって、
記録ヘッドを取り付けた状態で主走査方向に往復動するキャリッジがリニアスケール保持具によって、リニアスケールを保持した状態で前記ギャップの調整のため上下動し得る構造を備えている場合であって、尚且つ、リニアスケールの緊張状態を保つ張力付与部材が設けられている場合において、前記リニアスケール保持具には、請求項１〜５のいずれか１項に記載のリニアスケール保持具の傾き防止装置が設けられていることを特徴とするリニアスケール保持具の傾き防止装置を備えた記録装置。
【請求項７】
被液体噴射材の種類や厚さに応じて液体噴射ヘッドと被記録材との間のギャップを調整し得る液体噴射装置であって、
液体噴射ヘッドを取り付けた状態で主走査方向に往復動するキャリッジがリニアスケール保持具によって、リニアスケールを保持した状態で前記ギャップの調整のため上下動し得る構造を備えている場合であって、尚且つ、リニアスケールの緊張状態を保つ張力付与部材が設けられている場合において、前記リニアスケール保持具には、張力付与部材の張力及びサイドフレームとの取付部において生ずるガタに起因するリニアスケール保持具の傾倒傾向を防止すると共に、リニアスケール保持具の上下動を可能にする付勢部材が設けられていることを特徴とするリニアスケール保持具の傾き防止装置を備えた液体噴射装置。
【発明の詳細な説明】
【技術分野】
【０００１】
本発明は、被記録材の種類や厚さに応じて記録ヘッドと被記録材との間のギャップを調整し得る記録装置において設けられるリニアスケール保持具の傾き防止装置及び該傾き防止装置を備えた記録装置に関する。  
更に本発明は、インク等の液体をそのヘッドから吐出（噴射）して被記録材（被液体噴射材）に記録を実行する（液体を付着する）インクジェット式記録装置などの液体噴射装置及び該液体噴射装置において使用されるリニアスケール保持具の傾き防止装置に関するものである。
【０００２】
ここで液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、更に精密ピペットとしての試料噴射ヘッド等が挙げられる。
【背景技術】
【０００３】
例えばインクジェット式記録装置等においてキャリッジの位置検出を行うには、キャリッジの移動方向に沿うように設けられるリニアスケールを使用して行なわれている。リニアスケールには、ストライプによるオン、オフ信号が形成されていて、キャリッジ側には上記オン、オフ信号を読み取るための光センサ等が設けられている。一方、近時のインクジェット式記録装置においては、種類や厚さの違う種々の被記録材が用いられており、また高い記録品質を維持する必要から、記録ヘッド（より具体的にはノズルアレイ）と被記録材との間のギャップ（いわゆるペーパーギャップ、以下「ＰＧ」という）は大きくなる傾向にある。
【０００４】
そこで上記ギャップＰＧの変化に対応するため下記特許文献１に示す如く、リニアスケールをリニアスケール保持具によって保持させた状態でキャリッジと共に上下動し得る構成が採用されている。またリニアスケールはキャリッジの正確な位置検出を実行するため常に緊張状態を保つ必要があり、そのための部材としてキャリッジガイド軸に外嵌めされる皿バネと、リニアスケールの一方の端部と一方のリニアスケール保持具の取付部に対して設けられる板バネとから成る張力付与部材が設けられている。
【０００５】
また、リニアスケール保持具の上下動を案内するために、リニアスケール保持具から立ち上げた抜け止め作用部を有する突起部と、サイドフレームに形成したガイド穴とによるガイド構造が採用されている。しかし、突起部とガイド穴との間にはガタが生じてしまうため、このガイド構造のみではリニアスケール保持具の傾倒を完全に防止することはできない。
【０００６】
因みにリニアスケール保持具が傾倒するとリニアスケールの緊張状態が上記張力付与部材のみでは対応し切れなくなって、設定値よりも低くなってしまい、リニアスケールに振動が発生し、記録精度の低下をもたらしてしまう。
【０００７】
【特許文献１】特開２００２−１２７５３４号公報
【発明の開示】
【発明が解決しようとする課題】
【０００８】
そこで本発明は、このようなリニアスケールの傾倒による上記問題点を解決するために発案されたものであって、リニアスケール保持具の上下動を許容しつつ、リニアスケール保持具の傾倒を防止できる、極めて簡単な構成のリニアスケール保持具の傾き防止装置及び該傾き防止装置を備えた記録装置を提供することを課題とするものである。
【課題を解決するための手段】
【０００９】
上記課題を解決するために本発明の第１の態様に係るリニアスケール保持具の傾き防止装置は、被記録材の種類や厚さに応じて記録ヘッドと被記録材との間のギャップを調整し得る記録装置において設けられ、記録ヘッドを取り付けた状態で主走査方向に往復動するキャリッジがリニアスケール保持具によってリニアスケールを保持した状態で前記ギャップの調整のため上下動し得る構造を備えている場合であって、尚且つ、リニアスケールの緊張状態を保つ張力付与部材が設けられている場合において、前記リニアスケール保持具には、張力付与部材の張力及びサイドフレームとの取付部において生ずるガタに起因するリニアスケール保持具の傾倒傾向を防止すると共に、リニアスケール保持具の上下動を可能にする付勢部材が設けられていることを特徴とするものである。
【００１０】
本発明の第１の態様によれば、リニアスケール保持具の上下動を何ら妨げることなく、リニアスケール保持具の傾倒を防止できるから、リニアスケールの緊張状態は常に設定範囲内になり、リニアスケールの振動は生じない。従って記録精度を高水準に保つことができる。
【００１１】
本発明の第２の態様に係るリニアスケール保持具の傾き防止装置は、第１の態様において、前記付勢部材は棒状のバネ部材であり、前記リニアスケール保持具を横切るように架け渡されて本体フレームに対して係止されていることを特徴とするものである。本発明の第２の態様によれば、極めて簡単な構成により、上記第１の態様による作用を奏することができる。
【００１２】
本発明の第３の態様に係るリニアスケール保持具の傾き防止装置は、第１または第２の態様において、前記リニアスケール保持具における付勢部材との当接面には、スケール保持具の移動方向に延びる突条部が設けられていることを特徴とするものである。本発明の第３の態様によれば、付勢部材とリニアスケール保持具との接触面積が小さくなるから、リニアスケール保持具の上下動が更に円滑になる。
【００１３】
本発明の第４の態様に係るリニアスケール保持具の傾き防止装は、第２または第３の態様において、前記棒状のバネ部材はリニアスケール保持具の移動方向に対して斜交するように架け渡されていることを特徴とするものである。本発明の第４の態様によれば、リニアスケール保持具に対する付勢部材としての棒状のバネ部材における作用範囲が拡大するため、リニアスケール保持具の傾倒防止の安定性が更に向上する。
【００１４】
本発明の第５の態様に係るリニアスケール保持具の傾き防止装置は、第１の態様において、前記付勢部材はリニアスケール保持具の当接面に対して垂直に作用する圧縮コイルスプリングであることを特徴とするものである。本発明の第５の態様によれば、リニアスケール保持具の傾倒を更に強固に防止できる他、圧縮コイルスプリングの端面とリニアスケール保持具の当接面との間に極僅かな隙間を形成しておくことによって、リニアスケール保持具が上下動する際の抵抗はほとんど皆無となる。
【００１５】
本発明の第６の態様に係るリニアスケール保持具の傾き防止装置を備えた記録装置は、被記録材の種類や厚さに応じて記録ヘッドと被記録材との間のギャップを調整し得る記録装置において、記録ヘッドを取り付けた状態で主走査方向に往復動するキャリッジがリニアスケール保持具によって、リニアスケールを保持した状態で前記ギャップの調整のため上下動し得る構造を備えている場合であって、尚且つ、リニアスケールの緊張状態を保つ張力付与部材が設けられている場合において、前記リニアスケール保持具には、第１〜第５のいずれか１つの態様におけるリニアスケール保持具の傾き防止装置が設けられていることを特徴とするものである。
【００１６】
本発明の第６の態様によれば、リニアスケール保持具の上下動を許容しつつ、リニアスケール保持具の傾倒を防止できる極めて簡単な構成のリニアスケール保持具の傾き防止装置を備えた記録装置を提供することが可能となる。またリニアスケールの緊張状態が常に設定範囲内に保たれるから記録精度が高まって、記録品質の向上につながる。
【００１７】
本発明の第７の態様に係るリニアスケール保持具の傾き防止装置を備えた液体噴射装置は、被液体噴射材の種類や厚さに応じて液体噴射ヘッドと被記録材との間のギャップを調整し得る液体噴射装置において、液体噴射ヘッドを取り付けた状態で主走査方向に往復動するキャリッジがリニアスケール保持具によって、リニアスケールを保持した状態で前記ギャップの調整のため上下動し得る構造を備えている場合であって、尚且つ、リニアスケールの緊張状態を保つ張力付与部材が設けられている場合において、前記リニアスケール保持具には、張力付与部材の張力及びサイドフレームとの取付部において生ずるガタに起因するリニアスケール保持具の傾倒傾向を防止すると共に、リニアスケール保持具の上下動を可能にする付勢部材が設けられていることを特徴とするものである。
【発明を実施するための最良の形態】
【００１８】
以下、本願発明に係るリニアスケール保持具の傾き防止装置及び該傾き防止装置を備えた液体噴射装置の一例である記録装置について説明する。最初に本願発明の液体噴射装置の一例である記録装置の一実施の形態としてインクジェット式記録装置を採り上げて、その全体構成の概略を図面に基づいて説明する。図１はインクジェット式記録装置の概略を示す側断面図である。
【００１９】
インクジェット式記録装置１００には、被液体噴射材の一例である被記録材Ｐ（以下単に用紙Ｐともいう。）に記録を実行する液体噴射実行手段の一例である記録実行手段の主たる構成要素として、主走査方向Ｘに往復可能にキャリッジガイド軸１２によって軸支されたキャリッジ１０が設けられている。そして、該キャリッジ１０には用紙Ｐ等に液体の一例であるインクを吐出（噴射）して記録を行なう液体噴射ヘッドの一例である記録ヘッド１３が搭載されている。またキャリッジ１０には液体カートリッジの一例であるインクカートリッジ１１が装着されている。
【００２０】
記録ヘッド１３の下方には、記録ヘッド１３と対向して記録ヘッド１３のヘッド面と用紙Ｐ等との間のギャップを規定するプラテン２８が設けられている。そしてキャリッジ１０とプラテン２８との間に用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを交互に繰り返すことによって用紙Ｐ等に記録が行われる。
【００２１】
次に用紙Ｐの搬送経路に従ってインクジェット式記録装置１００の構成を更に説明する。先ず最も搬送方向上流側に用紙Ｐを積畳する被液体噴射材積畳部の一例である給送用トレイ５が設けられている。また給送用トレイ５には用紙Ｐの側端面に当接し、副走査方向Ｙへの円滑な搬送を案内するエッジガイド１５が設けられている。給送用トレイ５上の用紙Ｐは給送用ローラ１４の回転軸１７の回転に伴って、ホッパ１６が所定のタイミングで上昇し、給送用ローラ１４に向けて押し上げられる。
【００２２】
またこれらの給送用トレイ５、給送用ローラ１４及びホッパ１６を含む装置が自動給送装置２であり、給送用ローラ１４の回転に伴って最上面に位置する用紙Ｐから順番に給送用ローラ１４近傍に設けられる分離作用部の一例である分離パッド等の力を借りて単位数ずつピックアップして搬送方向下流に向かって送られる。
【００２３】
給送用ローラ１４の下流には、用紙Ｐの通過を検出する被液体噴射材検出手段の一例である図示しない被記録材検出手段（以下単に検出レバーという）が設けられており、検出レバーの下流には搬送用駆動ローラ１９ａと搬送用従動ローラ１９ｂとによって構成される搬送用ローラ１９が設けられている。このうち搬送用従動ローラ１９ｂは、搬送用従動ローラ用のローラホルダ１８の下流側において軸支され、当該ローラホルダ１８は、図示しない回転軸を中心に回動可能に設けられ、かつ図示しないねじりコイルばねによって搬送用従動ローラ１９ｂが常に搬送用駆動ローラ１９ａに圧接したニップ状態になるように回動付勢されている。
【００２４】
搬送用ローラ１９によって挟圧された状態で搬送される用紙Ｐは、記録ヘッド１３の下方の記録ポジション２６に導かれ、上述のキャリッジ１０および用紙Ｐの動作によって用紙Ｐの記録面のほぼ全面に亘って所望の記録が実行される。記録ヘッド１３とその下方において、これと対向して設けられるプラテン２８とのギャップは、高精度の記録を実行する上で極めて重要な要素となっており、用紙Ｐの厚さの変化に応じて適宜調節されるようになっている。
【００２５】
記録ヘッド１３の下流には、排出用駆動ローラ２０ａと、排出用ギザローラ２０ｂとによって構成される被液体噴射材排出手段の一例である排出用ローラ２０が設けられ、この排出用ローラ２０によって排出された用紙Ｐは、更に下流に位置する被液体噴射材受け部の一例である排出用スタッカ５０上の載置面５１に排出されるようになっている。
【００２６】
排出用ギザローラ２０ｂは、その外周に複数の歯を有する歯付きローラであり、排出用ギザローラ用の図示しないローラホルダによって自由回転可能に軸支されている。排出用ギザローラ２０ｂの上流には補助ギザローラ２２が設けられ、用紙Ｐは該補助ギザローラ２２によってやや下方に押し付けられるようになっている。また搬送用従動ローラ１９ｂは搬送用駆動ローラ１９ａよりその軸芯位置がやや下流側に配設されていて、更に排出用ギザローラ２０ｂは排出用駆動ローラ２０ａよりその軸芯位置がやや上流側に配設されている。
【００２７】
このような構成によって用紙Ｐは、搬送用ローラ１９と排出用ローラ２０との間において僅かに下に凸となる俗に「逆ぞり」と呼ばれている湾曲状態となり、記録ヘッド１３に対向する位置にある用紙Ｐはプラテン２８に押し付けられ、これにより用紙Ｐの浮き上がりが防止され、正常に記録が実行されるようになっている。尚、補助ギザローラ２２は排出用ギザローラ２０ｂと同様に歯付きローラから構成されており、図示しない補助ギザローラ用のローラホルダに軸支されている。
【００２８】
［実施例］
次に、このようなインクジェット式記録装置１００に対して適用される本願発明に係るリニアスケール保持具の傾き防止装置の構成及びその設置部位周辺の関連部材の構成と、リニアスケール保持具の傾き防止装置１のリニアスケール保持具に対する作用状態について説明する。図２は、インクジェット式記録装置からケーシング、キャリッジ等を取り外した状態を示す斜視図、図３はリニアスケール保持具の傾き防止装置の設置部位周辺を拡大して示す斜視図である。図４は同上、平面図、図５は同上、サイドフレーム外方からの斜視図である。
【００２９】
本発明は、用紙Ｐの種類や厚さに応じて記録ヘッド１３と用紙Ｐとの間のギャップＰＧを調整することのできる構造のインクジェット式記録装置１００において適用される。具体的にはキャリッジガイド軸１２の両端には、上方に延びる板状のリニアスケール保持具４がキャリッジガイド軸１２の自由な回転を許容した状態で取り付けられており、リニアスケール保持具４の上部において、リニアスケール３が図３に示す一端で直接、他端で図示しない板バネを介して緊張状態で張設されている。尚、上記板バネはキャリッジガイド軸１２に対して嵌合状態で取り付けられている皿バネと共に、リニアスケール３の緊張状態を確保するための張力付与部材として設けられるものである。
【００３０】
リニアスケール保持具４には、下部にキャリッジガイド軸１２に嵌合する穴部４１、上部に鉤状の係止爪４２が設けられている。係止爪４２はリニアスケール３の端部寄りに形成されている角穴状の係止穴部に係止され、直接リニアスケール３を保持する部材である。尚、図示を省略した他端側では、板バネに対して係止爪４２は設けられている。
【００３１】
リニアスケール保持具４の係止爪４２が設けられている上端寄りには、長穴状のガイド溝４３が刻設されている。このガイド溝４３は本体フレーム６におけるサイドフレーム７から立ち上げられている係合凸部４４と係合し、係合凸部４４の先端に設けられる鉤状頭部４５によって抜け止めされた状態で保持されている。
【００３２】
ガイド溝４３の側方には、下方に向けて垂直に突条部４６が設けられている。この突条部４６は後述する付勢部材３１との接触面積を少なくし、リニアスケール保持具４における上下動の際の抵抗を減少させ、リニアスケール保持具４の円滑な移動を確保する役割を有している。
【００３３】
次に、このようなリニアスケール保持具４と本体フレーム６に対して適用される本願発明のリニアスケール保持具の傾き防止装置１について説明する。本願発明の傾き防止装置１は、基本的には付勢部材３１によって構成されており、付勢部材３１の形状とリニアスケール保持具４に対する作用状態とによってリニアスケール保持具４の傾きを防止している。
【００３４】
具体的には図３〜５に示す如く、付勢手段３１は、例えば円形断面の棒状のバネ部材３２によって形成されており、先端にループ部３３が形成された基部側をサイドフレーム７の外方に沿わせるように配置すると共に、サイドフレーム７に刻設されている係合穴部３４の部位で９０°折り曲げて、係合穴部３４を通して、サイドフレーム７の内側に至らせる。更に、本体フレーム６における背面フレーム８側に向けて９０°折り曲げ、リニアスケール保持具４を横切るように架け渡され、背面フレーム８に設けられた係合穴部３５に先端部を係合させることによって取り付けられている。
【００３５】
尚、サイドフレーム７に設けられている係合穴部３４と背面フレーム８に設けられている係合穴部３５との位置は、上下方向にずれているため、棒状のバネ部材３２はリニアスケール保持具４の移動方向（上下方向）に対して斜交するように架け渡されている。これによりリニアスケール保持具４に対する作用範囲を大きくし、リニアスケール保持具４の傾倒防止の安定性を向上させている。また棒状のバネ部材３２がリニアスケール保持具４に対して直接当接しているのは、突条部４６であるため、大きな抵抗力は生ぜず、リニアスケール保持具４の上下動も円滑に行われる。
【００３６】
次に、本願発明の傾き防止装置１のリニアスケール保持具４に対する作用状態について説明する。用紙Ｐの種類や厚さに応じて記録ヘッド１３と用紙Ｐとの間のギャップＰＧを調整する必要が生じた場合には、キャリッジガイド軸１２の端部において設けられる、図示しない偏心機構が作動し、キャリッジガイド軸１２ごと、キャリッジ１０、リニアスケール保持具４、リニアスケール３等を伴って、所定ストローク上下方向に移動する。
【００３７】
この際、棒状のバネ部材３２は、リニアスケール保持具４に設けられている突条部４６に接しているだけであるから、リニアスケール保持具４等は特に大きな抵抗力を受けることはなく、滑らかに上下動する。またリニアスケール保持具４は棒状のバネ部材３２によって、サイドフレーム７との間で常時挟持された状態にあるから、ガイド溝４３と係合凸部４４のガタの範囲内で、リニアスケール保持具４が傾こうとしても、その傾きは防止されている。これによりリニアスケール３の緊張状態が保たれ、高精度の位置検出が実行されるのである。
【００３８】
［他の実施例］
本願発明に係るリニアスケール保持具の傾き防止装置及び該傾き防止装置を備えた記録装置は、以上述べたような構成を基本とするものであるが、本願発明の要旨を逸脱しない範囲内の部分的構成の変更や省略等を行なうことも勿論可能である。例えば、図６に示す如く、付勢部材３１をリニアスケール保持具４の当接面に対して垂直に作用する圧縮コイルスプリング３６によって構成することも可能である。
【００３９】
具体的には、背面フレーム８の一部を立ち上げて、あるいは別部材を取り付けることによって背面フレーム８に直角なバネ台座３７を形成し、このバネ台座３７に対して圧縮コイルスプリング３６の一方の端面を支持させる。圧縮コイルスプリング３６の他方の端面は対向するリニアスケール保持具４の当接面に極めて接近した状態に臨んでおり、リニアスケール保持具４が垂直に上下動しているときには、リニアスケール保持具４には当接せず、リニアスケール保持具４が傾こうとしたときに初めて当接して、その圧縮に抗する反発力によってリニアスケール保持具４の傾倒を防止するように作用するのである。
【００４０】
この他、図示は省略するが、棒状のバネ部材３２と同様の作用をする板バネを付勢部材３１として使用することも可能であるし、サイドフレーム７の外方に張設した引張りコイルスプリングを付勢部材３１として使用し、サイドフレーム７の外方からリニアスケール保持具４を引っ張ることによってリニアスケール保持具４の傾倒を防止するようにすることも可能である。
【産業上の利用可能性】
【００４１】
本願発明は、被記録材の種類や厚さに応じて記録ヘッドと被記録材との間のギャップを調整し得る記録装置、より具体的にはインクジェット式プリンタ等の記録装置の製造分野において、リニアスケールのより高い位置検出精度を得たい場合に利用できる。
【図面の簡単な説明】
【００４２】
【図１】インクジェット式記録装置の概略を示す側断面図である。
【図２】同上、キャリッジを取り外した状態を示す斜視図である。
【図３】傾き防止装置の設置部位周辺を拡大して示す斜視図である。
【図４】同上、平面図である。
【図５】同上、サイドフレーム外方からの斜視図である。
【図６】付勢部材の他の実施例を示す斜視図である。
【符号の説明】
【００４３】
１  （リニアスケール保持具の）傾き防止装置、  ２  自動給送装置、
３  リニアスケール、  ４  リニアスケール保持具、  ５  給送用トレイ、
６  本体フレーム、  ７  サイドフレーム、  ８  背面フレーム、１０  キャリッジ、１１  インクカートリッジ、１２  キャリッジガイド軸、１３  記録ヘッド、
１４  給送用ローラ、１５  エッジガイド、１６  ホッパ、１７  回転軸、
１８  ローラホルダ（搬送用従動ローラの）、１９  搬送用ローラ、
１９ａ  搬送用駆動ローラ、１９ｂ  搬送用従動ローラ、２０  排出用ローラ、
２０ａ  排出用駆動ローラ、２０ｂ  排出用ギザローラ、２２  補助ギザローラ、
２６  記録ポジション、２８  プラテン、３１  付勢部材、３２  棒状のバネ部材、
３３  ループ部、３４  （サイドフレームの）係合穴部、
３５  （背面フレームの）係合穴部、３６  圧縮コイルスプリング、３７  バネ台座、
４１  穴部、４２  係止爪、４３  ガイド溝、４４  係合凸部、４５  鉤状頭部、
４６  突条部、５０  排出用スタッカ、５１  載置面、
１００  インクジェット式記録装置（記録装置）、  Ｐ  用紙（被記録材）、
Ｘ  主走査方向、  Ｙ  副走査方向、
ＰＧ  （記録ヘッドと被記録材との間の）ギャップ
【図１】
2005081826.tif 000003
【図２】
2005081826.tif 000004
【図３】
2005081826.tif 000005
【図４】
2005081826.tif 000006
【図５】
2005081826.tif 000007
【図６】
2005081826.tif 000008